(57)【要約】【課題】ユーザの利便性を向上する。【解決手段】計測装置（１０）は、或る量を計測して複数の計測値を取得する計測部と、複数の計測値を表示する表示部（１１）とを備え、表示部（１１）の第１の表示領域（１１０）に表示される計測値を切り替えるための操作ボタン（１２３）・（１２４）と、第１の表示領域とは異なる第２の表示領域（１１１）に表示される計測値を切り替えるための操作ボタン（１２１）・（１２２）とを備える。【選択図】図１
2018036095.tif 000002
【特許請求の範囲】
【請求項１】
或る量を計測して複数の計測値を取得する計測部と、前記複数の計測値を表示する表示部とを備えた計測装置であって、
前記表示部の第１の表示領域に表示される前記計測値を切り替えるための第１の切替ボタンと、
前記表示部の第１の表示領域とは異なる第２の表示領域に表示される前記計測値を切り替えるための第２の切替ボタンとを備えることを特徴とする計測装置。
【請求項２】
第１の切替ボタンは、第１の表示領域に表示される計測値を、第１のグループの第１のサブグループに含まれる複数の計測項目の何れかの計測値に切り替えるためのものであり、
第１の表示領域に表示される計測値を、第１のグループのサブグループであって、第１のサブグループとは異なる第２のサブグループに含まれる複数の計測項目の何れかの計測値に切り替えるための第３の切替ボタンをさらに備えることを特徴とする請求項１に記載の計測装置。
【請求項３】
第２の切替ボタンは、第２の表示領域に表示される計測値を、第２のグループの第１のサブグループに含まれる複数の計測項目の何れかの計測値に切り替えるためのものであり、
第２の表示領域に表示される計測値を、第２のグループのサブグループであって、第１のサブグループとは異なる第２のサブグループに含まれる複数の計測項目の何れかの計測値に切り替えるための第４の切替ボタンをさらに備えることを特徴とする請求項２に記載の計測装置。
【請求項４】
第１の表示領域に表示される計測値は、前記量の累積値を示す積算値であり、第２の表示領域に表示される計測値は、単位時間当たりの前記量を示す瞬時値であることを特徴とする請求項１から３までの何れか１項に記載の計測装置。
【請求項５】
第１の表示領域には１つの前記積算値を表示し、第２の表示領域には複数の前記瞬時値を表示することを特徴とする請求項４に記載の計測装置。
【請求項６】
第１の表示領域に表示される計測値と、第２の表示領域に表示される計測値とは、文字のサイズが異なることを特徴とする請求項１から５までの何れか１項に記載の計測装置。
【請求項７】
第１の表示領域に表示される計測値と、第２の表示領域に表示される計測値とは、文字の色が異なることを特徴とする請求項１から６までの何れか１項に記載の計測装置。
【請求項８】
何れの切替ボタンが操作されたかを特定する操作特定部と、
前記操作特定部が特定した切替ボタンに対応する表示領域を特定する領域特定部と、
前記操作特定部が特定した切替ボタンに対応する計測項目の計測値を取得する計測値取得部と、
前記領域特定部が特定した表示領域における計測値の表示を、前記計測値取得部が取得した計測値の表示に切り替えるように前記表示部を制御する表示制御部とをさらに備えることを特徴とする請求項１から７までの何れか１項に記載の計測装置。
【請求項９】
前記計測装置は、電力線から電流および電圧を検出することにより、電力、電力量、その他の複数の電気的変量を計測するものであることを特徴とする請求項１から８までの何れか１項に記載の計測装置。
【請求項１０】
請求項８に記載の計測装置としてコンピュータを機能させるための制御プログラムであって、前記操作特定部、前記領域特定部、前記計測値取得部、および、前記表示制御部としてコンピュータを機能させるための制御プログラム。
【請求項１１】
或る量を計測して複数の計測値を取得する計測部と、前記複数の計測値を表示する表示部とを備えた計測装置の制御方法であって、
前記表示部の第１の表示領域に表示される前記計測値を切り替えるために前記計測装置に設けられた第１の切替ボタンと、前記表示部の第１の表示領域とは異なる第２の表示領域に表示される前記計測値を切り替えるために前記計測装置に設けられた第２の切替ボタンとの何れが操作されたかを特定する操作特定ステップと、
前記操作特定ステップにて特定された切替ボタンに対応する表示領域を特定する領域特定ステップと、
前記操作特定ステップにて特定された切替ボタンに対応する計測項目の計測値を取得する計測値取得ステップと、
前記領域特定ステップにて特定された表示領域における計測値の表示を、前記計測値取得ステップにて取得された計測値の表示に切り替えるように前記表示部を制御する表示制御ステップとを含むことを特徴とする計測装置の制御方法。
【発明の詳細な説明】
【技術分野】
【０００１】
本発明は、或る量を計測する計測装置およびその制御方法、並びに制御プログラムに関する。具体的には、本発明は、電力線における電流、電圧、電力、電力量などの各種の電気的変量を計測する計測装置などに関する。
【背景技術】
【０００２】
近時、産業界では、生産コストを削減するため、生産時に使用する各種電気機器の消費電力量（消費エネルギ）の削減（以下「省エネ」と略称する）が求められている。また、一般家庭においても、電気料金を削減するため、各種家電（家庭用電気機器）の省エネが求められている。
【０００３】
一般に、省エネは、消費電力（使用電力）の実態を把握することから始まる。このため、工場、家屋などの建物における分電盤、屋内配線、または各種電気機器に計測装置を設けて、消費電力などを計測することが考えられている。従来の計測システムとしては、特許文献１〜３に記載のものが挙げられる。
【０００４】
特許文献１に記載のモニタ装置は、計測ユニットと収集ユニットとを備えたエネルギー計測システムに用いられ、外部ディスプレイを接続したものである。前記モニタ装置は、回路を任意のグループに紐付けるグループ設定処理と、紐付けた各グループをグループのエネルギー使用量と併せて前記外部ディスプレイに表示する表示処理とを実行する。
【０００５】
特許文献２に記載の消費電力表示装置は、複数の家電機器の消費電力値を受信し、受信された各家電機器の消費電力値を記憶部に記憶し、記憶された各家電機器の消費電力値を、同種類の家電機器の消費電力値を合算した上で比較し、それぞれの消費電力値に対して順位付けを行い、順位付けられた各消費電力値を、その順位に基づいて各家電機器の情報とともに表示部に表示させる。
【０００６】
特許文献３に記載の電力情報表示装置は、電力状況表示モニタの左側に発電量を表示し、右側に使用電力を表示し、中央に売電または買電の電力を表示する。また、下側領域は、売電の状況であれば青色、買電の状況であれば橙色で表示される。
【先行技術文献】
【特許文献】
【０００７】
【特許文献１】特開２０１４−０２３２８０号公報（２０１４年０２月０３日公開）
【特許文献２】特開２０１４−０２１０９６号公報（２０１４年０２月０３日公開）
【特許文献３】特開２０１５−０７０６９４号公報（２０１５年０４月１３日公開）
【発明の概要】
【発明が解決しようとする課題】
【０００８】
特許文献１〜３に記載の装置では、前記電気的変量を計測する計測装置とは別の装置にて前記電気的変量の計測値が表示されている。一方、前記計測値を表示する表示部を備えた計測装置も存在する。このような計測装置であれば、点検時、メンテナンス時などに作業員が前記計測値を確認することができる。
【０００９】
通常、前記計測装置は、種々の電気的変量を計測可能である。一方で、前記計測装置は、小型化が求められており、前記表示部の表示サイズも制約されることになる。このため、前記表示部に種々の計測値を同時に表示することは困難である。
【００１０】
そこで、前記表示部を備える従来の計測装置では、種々の前記計測値について、所定の数（例えば４つ）ごとにグループ分けを予め行っておき、前記計測装置に設けられた所定のボタンをユーザが押すことにより、前記表示部に表示するグループを切り替えている。これにより、ユーザは、前記所定のボタンを何回か押すことにより、種々の前記計測値を確認することができる。
【００１１】
しかしながら、ユーザが同時に確認したい複数の計測値が、同じグループに含まれているとは限らない。この場合、ユーザが切替前の計測値を覚えておく必要があり、ユーザにとって手間がかかることになる。
【００１２】
本発明は、前記の問題点に鑑みてなされたものであり、その目的は、ユーザの利便性を向上できる計測装置を実現することにある。
【課題を解決するための手段】
【００１３】
上記の課題を解決するために、本発明の一態様に係る計測装置は、或る量を計測して複数の計測値を取得する計測部と、前記複数の計測値を表示する表示部とを備えた計測装置であって、前記表示部の第１の表示領域に表示される前記計測値を切り替えるための第１の切替ボタンと、前記表示部の第１の表示領域とは異なる第２の表示領域に表示される前記計測値を切り替えるための第２の切替ボタンとを備えることを特徴としている。
【００１４】
上記の構成によると、第１の表示領域に表示される計測値と、第２の表示領域に表示される計測値とを個別に切り替えることができる。これにより、ユーザは、第１および第２の表示領域の一方に表示された計測値を維持しつつ、他方に表示された計測値を切り替えることができる。従って、ユーザが同時に確認したい複数の計測値を同時に表示できる可能性が従来よりも高くなり、その結果、ユーザの利便性を向上することができる。
【００１５】
なお、各表示領域に表示される計測値は、１つでもよいし、複数でもよい。また、各表示領域に表示される計測値は、同じでもよいし、異なっていてもよい。また、表示部は、セグメント方式でもよいし、ドットマトリクス方式でもよいが、消費電力の観点からセグメント方式が好ましい。
【００１６】
ところで、計測装置の中には、多種多様な計測項目を計測可能なものがある。この場合、多種多様な計測項目の計測値を、第１の切替ボタンのみで切り替える場合、ユーザが所望する計測項目の計測値を第１の表示領域に表示するまでにユーザが第１の切替ボタンを操作する回数も多くなり、時間がかかる虞がある。
【００１７】
そこで、本態様に係る計測装置では、第１の切替ボタンは、第１の表示領域に表示される計測値を、第１のグループの第１のサブグループに含まれる複数の計測項目の何れかの計測値に切り替えるためのものであり、第１の表示領域に表示される計測値を、第１のグループのサブグループであって、第１のサブグループとは異なる第２のサブグループに含まれる複数の計測項目の何れかの計測値に切り替えるための第３の切替ボタンをさらに備えてもよい。
【００１８】
この場合、２つの切替ボタンを用いて計測値を切り替えることができるので、１つの切替ボタンを用いて計測値を切り替える場合に比べて、ユーザが所望する計測項目の計測値を第１の表示領域に表示するまでにユーザが第１または第３の切替ボタンを操作する回数が少なくて済み、当該計測値を迅速に表示することができる。
【００１９】
同様に、本態様に係る計測装置では、第２の切替ボタンは、第２の表示領域に表示される計測値を、第２のグループの第１のサブグループに含まれる複数の計測項目の何れかの計測値に切り替えるためのものであり、第２の表示領域に表示される計測値を、第２のグループのサブグループであって、第１のサブグループとは異なる第２のサブグループに含まれる複数の計測項目の何れかの計測値に切り替えるための第４の切替ボタンをさらに備えてもよい。
【００２０】
この場合、２つの切替ボタンを用いて計測値を切り替えることができるので、１つの切替ボタンを用いて計測値を切り替える場合に比べて、ユーザが所望する計測項目の計測値を第２の表示領域に表示するまでにユーザが第２または第４の切替ボタンを操作する回数が少なくて済み、当該計測値を迅速に表示することができる。
【００２１】
なお、第１のサブグループに含まれる計測項目と、第２のサブグループに含まれる計測項目とは、それぞれ異なっていてもよいし、一部が同じであってもよい。
【００２２】
本態様に係る計測装置では、第１の表示領域に表示される計測値は、前記量の累積値を示す積算値であり、第２の表示領域に表示される計測値は、単位時間当たりの前記量を示す瞬時値であってもよい。これにより、ユーザは、前記計測装置において積算値の表示を維持させつつ、瞬時値の表示を切り替えたり、瞬時値の表示を維持させつつ、積算値の表示を切り替えたりすることができる。その結果、ユーザの利便性がさらに向上する。
【００２３】
例えば、２相以上の交流の場合、複数の電力線から複数の電流値が瞬時値として計測される。この場合、計測された瞬時値を同時に表示することが好ましい。
【００２４】
そこで、本態様に係る計測装置では、第１の表示領域には１つの前記積算値を表示し、第２の表示領域には複数の前記瞬時値を表示することが好ましい。この場合、ユーザの利便性がさらに向上する。
【００２５】
本態様に係る計測装置では、第１の表示領域に表示される計測値と、第２の表示領域に表示される計測値とは、文字のサイズが異なってもよいし、文字の色が異なってもよい。この場合、第１の表示領域と第２の表示領域との相違をユーザが容易に認識することができる。なお、前記文字には、数字、英字、記号、漢字などが含まれる。
【００２６】
本態様に係る計測装置では、何れの切替ボタンが操作されたかを特定する操作特定部と、前記操作特定部が特定した切替ボタンに対応する表示領域を特定する領域特定部と、前記操作特定部が特定した切替ボタンに対応する計測項目の計測値を取得する計測値取得部と、前記領域特定部が特定した表示領域における計測値の表示を、前記計測値取得部が取得した計測値の表示に切り替えるように前記表示部を制御する表示制御部とをさらに備えてもよい。この場合、ユーザによって操作された前記切替ボタンに対応する前記表示領域における計測値の表示を、前記切替ボタンに対応する計測項目の計測値の表示に切り替えることができる。
【００２７】
本態様に係る計測装置では、電力線から電流および電圧を検出することにより、電力、電力量、その他の複数の電気的変量を計測する計測装置であってもよい。
【００２８】
本態様に係る計測装置は、コンピュータによって実現してもよく、この場合には、コンピュータを上記計測装置が備える各部として動作させることにより上記計測装置をコンピュータにて実現させる計測装置の制御プログラム、およびそれを記録したコンピュータ読み取り可能な記録媒体も、本発明の別の態様の範疇に入る。
【００２９】
本発明の他の態様に係る計測装置の制御方法は、或る量を計測して複数の計測値を取得する計測部と、前記複数の計測値を表示する表示部とを備えた計測装置の制御方法であって、上記課題を解決するために、前記表示部の第１の表示領域に表示される前記計測値を切り替えるために前記計測装置に設けられた第１の切替ボタンと、前記表示部の第１の表示領域とは異なる第２の表示領域に表示される前記計測値を切り替えるために前記計測装置に設けられた第２の切替ボタンとの何れが操作されたかを特定する操作特定ステップと、前記操作特定ステップにて特定された切替ボタンに対応する表示領域を特定する領域特定ステップと、前記操作特定ステップにて特定された切替ボタンに対応する計測項目の計測値を取得する計測値取得ステップと、前記領域特定ステップにて特定された表示領域における計測値の表示を、前記計測値取得ステップにて取得された計測値の表示に切り替えるように前記表示部を制御する表示制御ステップとを含むことを特徴としている。
【００３０】
上記の方法により、ユーザによって操作された前記切替ボタンに対応する前記表示領域における計測値の表示を、前記切替ボタンに対応する計測項目の計測値の表示に切り替えることができる。
【発明の効果】
【００３１】
本発明の一態様によると、第１の表示領域に表示される計測値と、第２の表示領域に表示される計測値とを個別に切り替えることができるので、ユーザは、第１および第２の表示領域の一方に表示された計測値を維持しつつ、他方に表示された計測値を切り替えることができ、従って、ユーザが同時に確認したい複数の計測値を同時に表示できる可能性が従来よりも高くなり、その結果、ユーザの利便性を向上できるという効果を奏する。
【図面の簡単な説明】
【００３２】
【図１】本発明の一実施形態である計測装置の外観を示す正面図である。
【図２】上記計測装置における計測値の切替表示の具体例を示す図である。
【図３】上記計測装置の概略構成を示すブロック図である。
【図４】上記計測装置における主制御部および記憶部の概略構成を示すブロック図である。
【図５】上記主制御部における処理の流れを示すフローチャートである。
【発明を実施するための形態】
【００３３】
以下、本発明の実施の形態について、詳細に説明する。
【００３４】
（計測装置の概要）
図１は、本実施形態である計測装置の外観を示す正面図である。従って、図１に向かって右側が計測装置１０の左側であり、図１に向かって左側が計測装置１０の右側である。計測装置１０は、家庭または工場等の設備内の電力線を流れる電流（交流電流）、および、該電力線に印加される電圧（交流電圧）をそれぞれ検出し、検出した電流および電圧に基づいて、上記電力線における各種の電気的変量を計測するものである。本実施形態では、計測装置１０は、最大４本の電力線について計測が可能である。
【００３５】
なお、計測装置１０は、通常、上記電力線と、該電力線を遮断するためのブレーカ（図示せず）と共に、分電盤（図示せず）の内部に設けられるが、これに限定されるものではない。また、電力線を流れる電流を検出する手法、および電力線に印加される電圧を検出する手法は、周知であるので、その説明を省略する。
【００３６】
上記電気的変量には、単位時間当たりの電気的変量を示す瞬時値と、
電気的変量の累積値を示す積算値とが含まれる。上記電気的変量の瞬時値には、電流、電圧、周波数、力率、各相の有効電力およびそれらの合計、各相の無効電力およびそれらの合計など、種々のものが含まれる。上記電気的変量の積算値には、積算有効電力量、積算回生電力量、積算総合無効電力量、積算進み無効電力量、積算遅れ無効電力など、種々のものが含まれる。なお、計測装置１０は、上記電気的変量に関する最大値、最小値、平均値、中間値などの統計値を算出してもよい。また、計測装置１０は、計測した電力量を電気料金、ＣＯ２などの換算値に換算してもよい。以下では、計測装置１０が求めた上記電気的変量、上記統計値、および上記換算値を「計測値」と総称する。
【００３７】
図１に示すように、計測装置１０の前面には、表示部１１と、複数（図示の例では５個）の操作ボタン１２とが設けられている。
【００３８】
表示部１１は、上記電気的変量の計測値、その他の情報を表示するものである。表示部１１は、セグメント型ＬＣＤ（Liquid Crystal Display）、ドットマトリクス型ＬＣＤなどの表示素子によって構成される。図１の例では、セグメント型ＬＣＤが利用されている。
【００３９】
本実施形態では、表示部１１は、３つの表示領域１１０〜１１２に分割されている。第１の表示領域１１０は、表示部１１の下部の領域であり、第１のグループの計測値を１つ表示可能な領域である。第１の表示領域１１０では、中央部に計測値が表示され、左側部に単位が表示される。また、右側部には、リセット可能か否かを示す情報（RESETTABLE）、正負を示す情報、および、積算総合無効電力量を示す情報（Total Q）が表示される。
【００４０】
第２の表示領域１１１は、表示部１１の中央部から左側部までの領域であり、第２のグループの計測値を最大３つ表示可能な領域である。第２の表示領域１１１では、中央部に計測値が表示され、左側部に単位が表示される。また、右側部には、計測項目が例えばアルファベット１文字で表示される。
【００４１】
第３の表示領域１１２は、表示部１１の右側部の領域であり、計測装置１０の動作状態を示す情報を表示可能な領域である。図１の例では、第３の表示領域１１２には、アドレス情報１１２０、ＣＴ情報１１２１、タリフ情報１１２２、通信状態情報１１２３、および、出力状態情報１１２４が表示可能である。なお、表示領域の分割数および配置は、任意に設定可能である。
【００４２】
アドレス情報１１２０は、表示対象の交流のアドレスを示している。このアドレスは、計測対象の交流ごとに割り当てられる。例えば、三相４線式の交流の場合、当該交流を１つ計測可能であるから、１つのアドレスのみが割り当てられる。また、単相３線式または三相３線式の交流の場合、当該交流を２つ計測可能であるから、最大２つのアドレスが割り当てられる。そして、単相２線式の交流の場合、当該交流を４つ計測可能であるから、最大４つのアドレスが割り当てられる。
【００４３】
ＣＴ情報１１２１は、表示対象の交流について、計測のために検知した電流が入力されるポートのＩＤ（識別情報）（ＣＴ１〜ＣＴ４）を示している。例えば、三相４線式の交流の場合、３つの電流を計測するから、何れか３つのポートのＩＤが表示される。また、単相３線式または三相３線式の交流の場合、２つの電流を計測するから、何れか２つのポートのＩＤが表示されることになる。そして、単相２線式の交流の場合、１つの電流を計測するから、何れか１つのポートのＩＤが表示されることになる。
【００４４】
タリフ情報１１２２は、表示対象の交流について、電力の積算値を記憶する記憶領域のアドレス（Ｔ１〜Ｔ４）を示している。一般に、電力料金は、電力を使用する時間帯、使用した電力量など、各種の条件によって単位電力量当たりの料金が変化する。そこで、上記条件に対応する記憶領域のアドレスを表示し、当該記憶領域にて電力の積算値を更新している。なお、上記条件、および、上記記憶領域のアドレスは、上位機器９０（図３参照）によって設定される。
【００４５】
通信状態情報１１２３は、上位機器９０と通信状態であるか否かを示している。出力状態情報１１２４は、４つの外部出力ポート２７（図３参照）の何れから計測値をパルス出力しているかを示している。
【００４６】
本実施形態では、第１のグループの計測値は、上記積算値の計測値が切替表示される。また、第２のグループの計測値は、上記瞬時値の計測値が切替表示される。
【００４７】
操作ボタン１２は、ユーザが操作入力を行うためのボタンスイッチである。本実施形態では、表示対象となる回路を切り替えるＭＯＤＥボタン１２０、第２のグループの計測値のうち、第１のサブグループの計測値を切替表示するためのＭ１ボタン１２１（第２の切替ボタン）、第２のグループの計測値のうち、第２のサブグループの計測値を切替表示するためのＭ２ボタン１２２（第４の切替ボタン）、第１のグループの計測値のうち、第１のサブグループの計測値を切替表示するためのＥ１ボタン１２３（第１の切替ボタン）、および、第１のグループの計測値のうち、第２のサブグループの計測値を切替表示するためのＥ２ボタン１２４（第３の切替ボタン）が設けられている。
【００４８】
第１のグループの第１のサブグループの計測値は、上述の積算値の計測値であって、リセット不能な積算値の計測値、すなわち、計測装置１０が配電盤等に設置されて計測を開始してから現在までの積算値の計測値である。第１のグループの第２のサブグループの計測値は、上述の積算値の計測値であって、リセット可能な積算値の計測値である。この積算値は、例えば１ヶ月単位でリセット可能であってもよいし、ユーザによってリセット可能であってもよい。
【００４９】
第２のグループの第１のサブグループの計測値は、上述の瞬時値の計測値であって、電力以外の計測値、すなわち、電流、電圧、周波数、および力率の計測値である。第２のグループの第２のサブグループの計測値は、上述の瞬時値の計測値であって、電力に関する計測値、すなわち、各相の有効電力およびそれらの合計、並びに、各相の無効電力およびそれらの合計の計測値である。
【００５０】
図２は、計測装置１０における計測値の切替表示の具体例を示す図である。図２の例では、三相４線式の交流を計測している。この場合、計測装置１０は、４本の電力線（Ｒ線・Ｓ線・Ｔ線・Ｎ線）のうちの３本（Ｒ線・Ｓ線・Ｔ線）の電流を検出することにより、当該交流を１つ計測することが可能であるので、計測のための回路は１つである。このため、アドレス情報１１２０は「０１」の表示で固定され、ＣＴ情報１１２１は「ＣＴ１」〜「ＣＴ３」の表示で固定される。
【００５１】
図２の（ａ）は、Ｍ１ボタン１２１をユーザが押した場合を示している。この場合、第２の表示領域１１１の表示が、Ｒ線、Ｓ線、およびＴ線の各電流の計測値の表示に切り替わる（図２の（ａ）の上段）。さらに、Ｍ１ボタン１２１をユーザが押すたびに、第２の表示領域１１１の表示が、Ｎ線に対するＲ線、Ｓ線、およびＴ線の各電圧の計測値の表示（図２の（ａ）の中段）、上記交流の周波数の計測値の表示、および、上記交流の力率の計測値の表示（図２の（ａ）の下段）に切り替わる。それから、Ｍ１ボタン１２１をユーザが押すと、第２の表示領域１１１の表示が、図２の（ａ）の上段に示す表示に切り替わり、以降、Ｍ１ボタン１２１をユーザが押すたびに、第２の表示領域１１１の表示が上述のようにトグル方式で切り替わる。
【００５２】
図２の（ｂ）は、Ｍ２ボタン１２２をユーザが押した場合を示している。この場合、第２の表示領域１１１の表示が、Ｒ線、Ｓ線、およびＴ線の各有効電力の計測値の表示に切り替わる（図２の（ｂ）の上段）。さらに、Ｍ２ボタン１２２をユーザが押すたびに、第２の表示領域１１１の表示が、上記各有効電力の合計の計測値の表示（図２の（ｂ）の中段）、Ｒ線、Ｓ線、およびＴ線の各無効電力の計測値の表示、および、上記各無効電力の合計の計測値の表示（図２の（ｂ）の下段）に切り替わる。それから、Ｍ２ボタン１２２をユーザが押すと、第２の表示領域１１１の表示が、図２の（ｂ）の上段に示す表示に切り替わり、以降、Ｍ２ボタン１２２をユーザが押すたびに、第２の表示領域１１１の表示が上述のようにトグル方式で切り替わる。
【００５３】
図２の（ｃ）は、Ｅ１ボタン１２３をユーザが押した場合を示している。この場合、第１の表示領域１１０の表示が、上記交流の積算有効電力量の計測値の表示に切り替わる（図２の（ｃ）の上段）。さらに、Ｅ１ボタン１２３をユーザが押すたびに、第１の表示領域１１０の表示が、上記交流の積算回生電力量の計測値の表示（図２の（ｃ）の中段）、上記交流の積算総合無効電力量の計測値の表示、上記交流の積算進み無効電力量の計測値の表示、および、上記交流の積算遅れ無効電力量の計測値の表示（図２の（ｃ）の下段）に切り替わる。それから、Ｅ１ボタン１２３をユーザが押すと、第１の表示領域１１０の表示が、図２の（ｃ）の上段に示す表示に切り替わり、以降、Ｅ１ボタン１２３をユーザが押すたびに、第１の表示領域１１０の表示が上述のようにトグル方式で切り替わる。
【００５４】
図２の（ｄ）は、Ｅ２ボタン１２４をユーザが押した場合を示している。この場合、第１の表示領域１１０の表示が、上記交流のリセット可能な積算有効電力量の計測値の表示に切り替わる（図２の（ｄ）の上段）。さらに、Ｅ２ボタン１２４をユーザが押すたびに、第１の表示領域１１０の表示が、上記交流のリセット可能な積算回生電力量の計測値の表示（図２の（ｄ）の中段）、上記交流のリセット可能な積算総合無効電力量の計測値の表示、上記交流のリセット可能な積算進み無効電力量の計測値の表示、および、上記交流のリセット可能な積算遅れ無効電力量の計測値の表示に切り替わる。従って、図２の（ｄ）の上段および中段に示す表示は、図２の（ｃ）の上段および中段に示す表示に比べて、第１の表示領域１１０に「RESETTABLE」が追加されている。
【００５５】
それから、Ｅ２ボタン１２４をユーザが押すと、第１の表示領域１１０の表示が、換算値（図２の（ｄ）の下段）に切り替わる。上記換算値は、例えば、積算電力量に対し、ユーザが設定した係数を乗算した値である。それから、Ｅ２ボタン１２４をユーザが押すと、第１の表示領域１１０の表示が、図２の（ｄ）の上段に示す表示に切り替わり、以降、Ｅ２ボタン１２４をユーザが押すたびに、第１の表示領域１１０の表示が上述のようにトグル方式で切り替わる。
【００５６】
従って、第１の表示領域１１０に表示される第１のグループの計測値と、第２の表示領域１１１に表示される第２のグループの計測値とを個別に切り替えることができる。これにより、ユーザは、第１および第２の表示領域１１０・１１１の一方に表示された計測値を維持しつつ、他方に表示された計測値を切り替えることができる。従って、ユーザが同時に確認したい複数の計測値を同時に表示できる可能性が従来よりも高くなり、その結果、ユーザの利便性を向上することができる。
【００５７】
また、第１の表示領域１１０には１つの積算値を表示する一方、第２の表示領域１１１には複数の瞬時値を表示することにより、ユーザは、計測装置１０において積算値の表示を維持させつつ、複数の瞬時値の表示を切り替えたり、複数の瞬時値の表示を維持させつつ、積算値の表示を切り替えたりすることができる。その結果、ユーザの利便性がさらに向上する。
【００５８】
また、２つの操作ボタン１２を用いて計測値を切り替えることができるので、１つの操作ボタンを用いて計測値を切り替える場合に比べて、ユーザが所望する計測項目の計測値を第１の表示領域１１０に表示するまでにユーザがＥ１ボタン１２３またはＥ２ボタン１２４を操作する回数が少なくて済み、当該計測値を迅速に表示することができる。
【００５９】
同様に、２つの操作ボタン１２を用いて計測値を切り替えることができるので、１つの操作ボタンを用いて計測値を切り替える場合に比べて、ユーザが所望する計測項目の計測値を第２の表示領域１１１に表示するまでにユーザがＭ１ボタン１２１またはＭ２ボタン１２２を操作する回数が少なくて済み、当該計測値を迅速に表示することができる。
【００６０】
なお、図１では、第１の表示領域１１０に表示する数字（文字）の大きさが、第２の表示領域１１１に表示する数字の大きさよりも大きい。このように、第１の表示領域１１０に表示する数字のサイズと、第２の表示領域１１１に表示する数字のサイズとが異なることが望ましい。同様に、第１の表示領域１１０に表示する数字の色と、第２の表示領域１１１に表示する数字の色とが異なってもよい。これにより、第１の表示領域１１０と第２の表示領域１１１との相違をユーザが容易に認識することができる。
【００６１】
（計測装置の詳細）
図３は、計測装置１０の概略構成を示すブロック図である。図３に示すように、計測装置１０は、電源回路２０、発振子２１、制御部２２、記憶部２３、複数（図示の例では４つ）の電流計測用回路２４、複数（図示の例では４つ）の電圧計測用回路２５、操作部２６、上述の表示部１１、外部出力ポート２７、および通信部２８を備える構成である。
【００６２】
電源回路２０は、計測装置１０の各部を駆動させるための電源である。具体的には、電源回路２０は、外部の交流電源から入力される交流電圧を、計測装置１０の各部の動作に応じた直流電圧に変換して、計測装置１０の各部に出力する。
【００６３】
発振子２１は、制御部２２のクロック源である。発振子２１の例としては、セラミック発振子、水晶発振子などが挙げられる。
【００６４】
制御部２２は、計測装置１０内の各種構成の動作を統括的に制御するものであり、例えばＣＰＵ（Central Processing Unit）およびメモリを含むコンピュータによって構成される。そして、各種構成の動作制御は、制御プログラムをコンピュータに実行させることによって行われる。記憶部２３は、情報を記録するものであり、ハードディスク、フラッシュメモリなどの記録デバイスによって構成される。なお、制御部２２および記憶部２３の詳細については後述する。
【００６５】
電流計測用回路２４は、外部の変流器などから入力された電流を、制御部２２にて計測可能な電圧に変換して、制御部２２に出力するものである。電流計測用回路２４は、オペアンプを用いて実現される公知の電流・電圧変換回路（例えばＩ／Ｖアンプ回路）であってよい。
【００６６】
電圧計測用回路２５は、外部から入力された電圧を、制御部２２にて計測可能な電圧に変換して、制御部２２に出力するものである。電圧計測用回路２５は、公知の電圧検出用ＩＣ（Integrated Circuit）によって実現されてよい。
【００６７】
操作部２６は、ユーザの操作によりユーザから各種の入力を受け付けるものであり、上述の操作ボタン１２、ディップスイッチ、その他の操作デバイスなどによって構成される。操作部２６は、ユーザが操作した情報を操作データに変換して制御部２２に送信する。
【００６８】
外部出力ポート２７は、制御部２２が計測した電気的変量（例えば積算電力量）の計測値を、外部の装置（図示せず）にパルス出力するためのものである。
【００６９】
通信部２８は、外部の上位機器９０とデータ通信を行うためのものである。通信部２８は、制御部２２から受信した各種データを、データ通信に適した形式に変換した後、上位機器９０に送信する。また、通信部２８は、上位機器９０から受信した各種データを装置内部のデータ形式に変換した後、制御部２２に送信する。これにより、上位機器９０からの要求に応じて、制御部２２が計測した各種電気的変量のデータを上位機器９０に送信することができる。
【００７０】
次に、制御部２２および記憶部２３の詳細について説明する。図３に示すように、制御部２２は、主制御部３０、計測部３１、出力制御部３２、および通信制御部３３を備える構成である。
【００７１】
主制御部３０は、制御部２２内の各種ブロックを統括的に制御するものである。なお、主制御部３０の詳細については後述する。
【００７２】
計測部３１は、電流計測用回路２４からの電圧と、電圧計測用回路２５からの電圧とを用いて演算処理を行うことにより、上記電力線における各種の電気的変量を計測するものである。計測部３１は、計測した電気的変量の計測値と、計測した日時とを含む計測データを記憶部２３に記憶する。
【００７３】
出力制御部３２は、外部出力ポート２７を制御するものである。また、通信制御部３３は、通信部２８を制御するものである。
【００７４】
図４は、主制御部３０および記憶部２３の概略構成を示すブロック図である。図４に示すように、主制御部３０は、操作受付部４０（操作特定部）、更新領域特定部４１（領域特定部）、計測値取得部４２、および表示制御部４３を備える構成である。また、記憶部２３は、計測データ記憶部５０および項目記憶部５１を含んでいる。
【００７５】
計測データ記憶部５０は、上述の計測データを記憶するものである。項目記憶部５１は、操作ボタンと、該操作ボタンが押されることにより表示が切り替わる計測項目とを対応付けて記憶するものである。
【００７６】
例えば、項目記憶部５１では、Ｍ１ボタン１２１と、第２のグループの第１のサブグループの計測項目（電流、電圧、周波数、および力率）とが対応付けられている。また、Ｍ２ボタン１２２と、第２のグループの第２のサブグループの計測項目（各相の有効電力およびそれらの合計、並びに、各相の無効電力およびそれらの合計）とが対応付けられている。また、Ｅ１ボタン１２３と、第１のグループの第１のサブグループの計測項目（リセット不能な、積算有効電力量、積算回生電力量、積算総合無効電力量、積算進み無効電力量、および積算遅れ無効電力）とが対応付けられている。また、Ｅ２ボタン１２４と、第１のグループの第２のサブグループの計測項目（リセット可能な、積算有効電力量、積算回生電力量、積算総合無効電力量、積算進み無効電力量、および積算遅れ無効電力、並びに換算値）とが対応付けられている。
【００７７】
操作受付部４０は、ユーザからの操作を、操作部２６を介して受け付けるものである。本実施形態では、操作受付部４０は、操作部２６における操作ボタン１２の何れが押されたかを特定している。操作受付部４０は、特定した操作ボタン１２の情報を更新領域特定部４１および計測値取得部４２に送出する。
【００７８】
更新領域特定部４１は、操作受付部４０からの操作ボタン１２の情報に基づき、表示領域１１０〜１１２の何れを更新するかを特定するものである。具体的には、更新領域特定部４１は、操作受付部４０からＥ１ボタン１２３またはＥ２ボタン１２４の情報を取得すると、第１の表示領域１１０を更新すると判断する。また、更新領域特定部４１は、操作受付部４０からＭ１ボタン１２１またはＭ２ボタン１２２の情報を取得すると、第２の表示領域１１１を更新すると判断する。更新領域特定部４１は、特定した表示領域の情報を表示制御部４３に送出する。
【００７９】
計測値取得部４２は、項目記憶部５１を参照して、操作受付部４０からの操作ボタン１２に対応付けられたサブグループの計測項目を取得し、取得した計測項目の計測値を計測データ記憶部５０から取得するものである。具体的には、計測値取得部４２は、操作受付部４０からの今回の操作ボタン１２と前回の操作ボタン１２とが異なるか否かを判断し、異なる場合、今回の操作ボタン１２に対応付けられたサブグループの最初の計測項目を取得し、取得した計億項目の計測値を取得する。一方、同じである場合、計測値取得部４２は、前回取得した計測項目の次の計測項目を取得し、取得した計測項目の計測値を取得する。計測値取得部４２は、取得した計測値を表示制御部４３に送出する。
【００８０】
表示制御部４３は、表示部１１を制御するものである。本実施形態では、表示制御部４３は、更新領域特定部４１からの表示領域の表示を、計測値取得部４２からの計測値の表示に切り替えるように、表示部１１に指示する。
【００８１】
（主制御部の処理）
図５は、主制御部３０における処理の流れを示すフローチャートである。図５に示すように、操作受付部４０は、操作ボタン１２が押されるまで待機する（Ｓ１０）。操作ボタン１２が押されると、操作受付部４０は、何れの操作ボタン１２が押されたかを特定し、更新領域特定部４１は、表示部１１の表示領域１１０〜１１２のうち、当該操作ボタン１２に対応する表示領域を特定する（Ｓ１１、操作特定ステップ、領域特定ステップ）。
【００８２】
一方、計測値取得部４２は、今回押された操作ボタン１２と前回押された操作ボタン１２とが異なるか否かを判断する（Ｓ１２）。異なる場合には、計測値取得部４２は、今回押された操作ボタン１２に対応するサブグループの最初の計測項目を項目記憶部５１から取得する一方（Ｓ１３、計測値取得ステップ）、同じである場合には、計測値取得部４２は、前回取得した計測項目の次の計測項目を項目記憶部５１から取得する（Ｓ１４、計測値取得ステップ）。
【００８３】
次に、計測値取得部４２は、取得した計測項目の計測値を計測データ記憶部５０から取得する（Ｓ１５、計測値取得ステップ）。そして、表示制御部４３は、更新領域特定部４１が特定した表示領域の表示を、計測値取得部４２が取得した計測値の表示に切り替えるように、表示部１１に指示する（Ｓ１６、表示制御ステップ）。その後、ステップＳ１０に戻って、上記動作を繰り返す。
【００８４】
これにより、ユーザによって操作された操作ボタン１２に対応する表示領域１１０・１１１における計測値の表示を、操作ボタン１２に対応する計測項目の計測値の表示に切り替えることができる。
【００８５】
（付記事項）
上記実施形態では、電気的変量を計測する計測装置について説明しているが、これに限定されるものではなく、例えば、磁気的変量を計測する計測装置、流量を計測する流量計、人間の活動量を計測する活動量計など、任意の量を計測する計測装置に適用可能である。
【００８６】
また、上記実施形態では、２つの表示領域１１０・１１１にて計測値を個別に切替表示しているが、３つ以上の表示領域にて計測値を個別に切替表示してもよい。この場合、上記表示領域ごとに、１または２つの操作ボタンを設ければよい。
【００８７】
〔ソフトウェアによる実現例〕
計測装置１０の制御ブロック（特に制御部２２）は、集積回路（ＩＣチップ）等に形成された論理回路（ハードウェア）によって実現してもよいし、ＣＰＵ（Central Processing Unit）を用いてソフトウェアによって実現してもよい。
【００８８】
後者の場合、計測装置１０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００８９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００９０】
１０  計測装置
１１  表示部
１２  操作ボタン
２２  制御部
２３  記憶部
２４  電流計測用回路
２５  電圧計測用回路
２６  操作部
３０  主制御部
３１  計測部
４０  操作受付部（操作特定部）
４１  更新領域特定部（領域特定部）
４２  計測値取得部
４３  表示制御部
５０  計測データ記憶部
５１  項目記憶部
１１０  第１の表示領域
１１１  第２の表示領域
１１２  第３の表示領域
１２０  ＭＯＤＥボタン
１２１  Ｍ１ボタン（第２の切替ボタン）
１２２  Ｍ２ボタン（第４の切替ボタン）
１２３  Ｅ１ボタン（第１の切替ボタン）
１２４  Ｅ２ボタン（第３の切替ボタン）
【図１】
2018036095.tif 000003
【図２】
2018036095.tif 000004
【図３】
2018036095.tif 000005
【図４】
2018036095.tif 000006
【図５】
2018036095.tif 000007